(57)【要約】【課題】操作の簡略化を図りながら、流動体を複数回に分けて供給することが可能な供給装置を提供する。【解決手段】供給装置１００は、流動体１５０を収容する筒状部１１と、筒状部１１の一方端部１１ａに設けられ、筒状部１１に収容された流動体１５０を排出する排出口１２と、筒状部１１の他方端部１１ｂに設けられた開口部１３とを有するバレル１０と、開口部１３を介して筒状部１１の内部に挿入されるプランジャ２０とを備える。プランジャ２０の端部には、筒状部１１の内面と摺動する弾性変形可能なガスケット４０が設けられている。筒状部１１の内面には、溝部１１４が設けられ、ガスケット４０には、溝部１１４に係合される突部４４が設けられている。【選択図】図３
2012130554.tif 000002
【特許請求の範囲】
【請求項１】
流動体を収容するとともに、収容された流動体を供給する供給装置であって、
流動体を収容する筒状部と、前記筒状部の一方端部に設けられ、前記筒状部に収容された流動体を排出する排出口と、前記筒状部の他方端部に設けられた開口部とを有するバレルと、
前記開口部を介して前記筒状部の内部に挿入されるプランジャとを備え、
前記プランジャの端部には、前記筒状部の内面と摺動する弾性変形可能なガスケットが設けられ、
前記筒状部の内面には、係合部が設けられ、
前記ガスケットには、前記係合部に係合される被係合部が設けられていること
を特徴とする供給装置。
【請求項２】
請求項１に記載の供給装置であって、
前記筒状部の内面には、前記係合部が前記プランジャの挿入方向に複数設けられていること
を特徴とする供給装置。
【請求項３】
請求項２に記載の供給装置であって、
前記複数の係合部は、前記プランジャの挿入方向に一定の間隔を隔てて配置されていること
を特徴とする供給装置。
【請求項４】
請求項１から請求項３までのいずれか一つに記載の供給装置であって、
前記筒状部は、円筒状に形成されており、
前記係合部は、前記筒状部の内周面の周方向に沿って延びるように設けられ、
前記ガスケットは、円柱状に形成されており、
前記被係合部は、前記ガスケットの円周方向に沿って延びるように設けられていること
を特徴とする供給装置。
【請求項５】
請求項１から請求項４までのいずれか一つに記載の供給装置であって、
前記係合部は、前記筒状部の内面に形成された溝部を含み、
前記被係合部は、前記溝部に挿入される突部を含むこと
を特徴とする供給装置。
【請求項６】
請求項１から請求項４までのいずれか一つに記載の供給装置であって、
前記係合部は、前記筒状部の内面に形成された突部を含み、
前記被係合部は、前記突部が挿入される溝部を含むこと
を特徴とする供給装置。
【請求項７】
請求項１から請求項６までのいずれか一つに記載の供給装置であって、
前記ガスケットは、前記バレルの筒状部に圧入されるガスケット本体と、前記ガスケット本体に設けられたテーパ部とを含み、
前記テーパ部は、前記ガスケット本体から前記プランジャの挿入方向の逆方向に向かって断面積が大きくなるように形成されていること
を特徴とする供給装置。
【請求項８】
請求項１から請求項７までのいずれか一つに記載の供給装置であって、
前記バレルの排出口を塞ぐ蓋部材を備えること
を特徴とする供給装置。
【請求項９】
請求項１から請求項８までのいずれか一つに記載の供給装置であって、
前記筒状部に収容される流動体は、ゼリー状の薬剤を含むこと
を特徴とする供給装置。
【発明の詳細な説明】
【技術分野】
【０００１】
本発明は、流動体を供給する供給装置に関する。
【背景技術】
【０００２】
従来、流動体を収容するとともに、収容された流動体を供給する供給装置が知られている（たとえば、特許文献１参照）。
【０００３】
特許文献１には、一方側に排出口が形成されるとともに、他方側に開口端部が形成された外筒（バレル）と、外筒の内部に摺動可能に配置されたガスケットと、ガスケットに端部が接続されたプランジャと、外筒の開口端部に固定され、プランジャが挿入される軸支持部材とを備えたシリンジ（供給装置）が開示されている。外筒の内部には、排出口とガスケットとの間に流体が収容される収容室が形成されている。
【０００４】
このシリンジでは、プランジャには、径方向（外筒側）に突出する突起部が設けられている。この突起部は、プランジャの長手方向および周方向において異なる位置に複数設けられている。また、プランジャは、ガスケットに対して周方向に回転可能に設けられている。軸支持部材には、プランジャの突起部が当接される被当接面が設けられ、被当接面の一部には、突起部が通過可能な切欠部が形成されている。
【０００５】
特許文献１のシリンジの流体を排出（供給）する際の動作としては、まず、プランジャが周方向に回転されることにより、プランジャの突起部が被当接面に形成された切欠部と対応する位置に配置される。そして、プランジャが押圧されると、突起部が切欠部を通過することにより、外筒に対してプランジャおよびガスケットが排出口側に移動される。その後、通過した突起部と長手方向において隣接する突起部が、通過した突起部と周方向において異なる位置に設けられていることから、通過した突起部と長手方向において隣接する突起部が被当接面に当接されることにより、プランジャおよびガスケットの移動が停止される。これにより、収容室に収容された流体が所定量だけ排出される。そして、このシリンジでは、上記した動作が繰り返し行われることにより、収容室に収容された流体を所定量毎に分割して排出（供給）することが可能である。
【先行技術文献】
【特許文献】
【０００６】
【特許文献１】特開２００６−２６２８０号公報
【発明の概要】
【発明が解決しようとする課題】
【０００７】
しかしながら、特許文献１に開示された従来のシリンジでは、収容室に収容された流体を複数回に分けて供給することが可能であるが、所定量の流体を供給した後、再び所定量の流体を供給する際に、プランジャを回転させる必要があるので、シリンジの操作が煩雑であるという問題点がある。
【０００８】
本発明は、上記の課題を解決するためになされたものであり、本発明の目的は、操作の簡略化を図りながら、流動体を複数回に分けて供給することが可能な供給装置を提供することである。
【課題を解決するための手段】
【０００９】
本発明による供給装置は、流動体を収容するとともに、収容された流動体を供給する供給装置であって、流動体を収容する筒状部と、前記筒状部の一方端部に設けられ、前記筒状部に収容された流動体を排出する排出口と、前記筒状部の他方端部に設けられた開口部とを有するバレルと、前記開口部を介して前記筒状部の内部に挿入されるプランジャとを備え、前記プランジャの端部には、前記筒状部の内面と摺動する弾性変形可能なガスケットが設けられ、前記筒状部の内面には、係合部が設けられ、前記ガスケットには、前記係合部に係合される被係合部が設けられていることを特徴とする。
【００１０】
このように構成することによって、プランジャが排出口側に押されることにより、ガスケットの被係合部がバレルの係合部に係合されるまで、プランジャおよびガスケットが排出口側に移動される。これにより、流動体を排出口から供給することができる。その後、再び流動体を供給する場合には、プランジャが排出口側に押されることにより、ガスケットが弾性変形するので、ガスケットの被係合部とバレルの係合部との係合が解除され、プランジャおよびガスケットが排出口側に移動される。これにより、流動体を排出口から供給することができる。すなわち、筒状部の係合部とガスケットの被係合部とにより、バレルの内部を移動（摺動）するガスケットの移動量を規定することができるので、プランジャを回転させることなく、流動体を複数回に分けて供給することができる。
【００１１】
上記供給装置において、前記筒状部の内面には、前記係合部が前記プランジャの挿入方向に複数設けられていてもよい。
【００１２】
このように構成すれば、流動体を２回以上に分けて供給することができる。
【００１３】
この場合において、前記複数の係合部は、前記プランジャの挿入方向に一定の間隔を隔てて配置されていてもよい。
【００１４】
このように構成すれば、複数回に分けて供給される流動体の供給量を均等にすることができる。
【００１５】
上記供給装置において、前記筒状部は、円筒状に形成されており、前記係合部は、前記筒状部の内周面の周方向に沿って延びるように設けられ、前記ガスケットは、円柱状に形成されており、前記被係合部は、前記ガスケットの円周方向に沿って延びるように設けられていてもよい。
【００１６】
このように構成すれば、ガスケットの被係合部を容易にバレルの係合部に係合させることができる。
【００１７】
上記供給装置において、前記係合部は、前記筒状部の内面に形成された溝部を含み、前記被係合部は、前記溝部に挿入される突部を含むようにしてもよい。
【００１８】
このように構成すれば、バレルの溝部にガスケットの突部を挿入することにより、溝部と突部とを係合させることができる。
【００１９】
上記供給装置において、前記係合部は、前記筒状部の内面に形成された突部を含み、前記被係合部は、前記突部が挿入される溝部を含むようにしてもよい。
【００２０】
このように構成すれば、ガスケットの溝部にバレルの突部を挿入することにより、溝部と突部とを係合させることができる。
【００２１】
上記供給装置において、前記ガスケットは、前記バレルの筒状部に圧入されるガスケット本体と、前記ガスケット本体に設けられたテーパ部とを含み、前記テーパ部は、前記ガスケット本体から前記プランジャの挿入方向の逆方向に向かって断面積が大きくなるように形成されるようにしてもよい。
【００２２】
このように構成すれば、ガスケットをバレルに挿入した状態において、ガスケットおよびプランジャをバレルに対して逆方向に移動しにくくすることができるので、誤操作の抑制を図るとともに、分注精度の向上を図ることができる。
【００２３】
上記供給装置において、前記バレルの排出口を塞ぐ蓋部材を備えていてもよい。
【００２４】
このように構成すれば、バレルに収容される流動体を蓋部材およびガスケットにより密閉することができる。
【００２５】
上記供給装置において、前記筒状部に収容される流動体は、ゼリー状の薬剤を含むようにしてもよい。
【００２６】
このように構成すれば、ゼリー状の薬剤を複数回に分けて供給することができる。
【発明の効果】
【００２７】
本発明によれば、操作の簡略化を図りながら、流動体を複数回に分けて供給することが可能な供給装置を提供することができる。
【図面の簡単な説明】
【００２８】
【図１】本発明の実施の形態１による供給装置の全体構造を示した斜視図である。
【図２】図１に示した供給装置の全体構造を示した分解斜視図である。
【図３】図１に示した供給装置の全体構造を示した断面図である。
【図４】図１に示した供給装置のバレルの構造を示した平面図である。
【図５】図１に示した供給装置のバレルの構造を示した背面図である。
【図６】図１に示した供給装置のプランジャの構造を示した平面図である。
【図７】図１に示した供給装置のプランジャの構造を示した背面図である。
【図８】図１に示した供給装置のキャップの構造を示した平面図である。
【図９】図１に示した供給装置のキャップの構造を示した背面図である。
【図１０】本発明の実施の形態２による供給装置の全体構造を示した断面図である。
【発明を実施するための形態】
【００２９】
以下、本発明の実施の形態について図面を参照して説明する。
【００３０】
＜実施の形態１＞
まず、図１〜図９を参照して、実施の形態１による供給装置１００の構造について説明する。
【００３１】
供給装置１００は、図１〜図３に示すように、バレル１０と、プランジャ２０と、キャップ３０とを備えている。なお、キャップ３０は、本発明の「蓋部材」の一例である。供給装置１００は、流動体１５０（図３参照）を収容するとともに、収容された流動体１５０を複数回に分けて供給するように構成されている。なお、流動体１５０は、たとえば、ゼリー状の薬剤である。
【００３２】
バレル１０は、図３に示すように、流動体１５０を収容する筒状部１１と、筒状部１１の一方端部１１ａ（矢印Ｙ１方向側の端部）に設けられた排出口１２と、筒状部１１の他方端部１１ｂ（矢印Ｙ２方向側の端部）に設けられた開口部１３と、筒状部１１の他方端部１１ｂに設けられたフランジ部１４とを含んでいる。バレル１０は、たとえば、透明な樹脂により形成されている。
【００３３】
筒状部１１は、円筒状に形成されており、本体部１１１と、本体部１１１から先細りとなるテーパ部１１２と、テーパ部１１２の先端に設けられたノズル部１１３とを有する。
【００３４】
本体部１１１には、内周面１１ｃの周方向（図５のＣ１方向）に沿って延びるように溝部１１４が形成されている。なお、溝部１１４は、本発明の「係合部」の一例である。溝部１１４は、内周面１１ｃの全周にわたって形成されるとともに、断面形状が円弧状に形成されている。また、溝部１１４は、プランジャ２０の挿入方向（矢印Ｙ１方向）に一定の間隔を隔てて複数（たとえば、７個）設けられている。
【００３５】
テーパ部１１２は、本体部１１１とノズル部１１３との間に設けられており、本体部１１１からノズル部１１３に向かって径が小さくなるように形成されている。ノズル部１１３は、本体部１１１の直径よりも小さい直径を有する。ノズル部１１３（図４参照）には、外周面にねじ山（螺旋状の溝）が形成されている。
【００３６】
排出口１２は、筒状部１１の先端に設けられ、開口部１３は、筒状部１１の基端に設けられている。フランジ部１４は、板状に形成されており、筒状部１１の基端から外方に突出するように設けられている。
【００３７】
プランジャ２０は、図６および図７に示すように、バレル１０（図３参照）に挿入される棒状部２１と、棒状部２１の一方端部（矢印Ｙ２方向側の端部）に形成された板状の押圧部２２とを有する。プランジャ２０は、開口部１３を介して筒状部１１（図３参照）の内部に挿入されるように構成されている。プランジャ２０は、たとえば、樹脂により形成されている。
【００３８】
棒状部２１の他方端部（矢印Ｙ１方向側の端部）には、ガスケット４０が取り付けられている。すなわち、プランジャ２０の先端にガスケット４０が設けられ、プランジャ２０の基端に押圧部２２が形成されている。なお、プランジャ２０の棒状部２１は、バレル１０の内径よりも小さい直径を有する。
【００３９】
ガスケット４０は、たとえば、ゴムにより形成されており、弾性変形可能に構成されている。また、ガスケット４０は、プランジャ２０がバレル１０に挿入された場合に、バレル１０の内周面１１ｃと摺動するように構成されている。
【００４０】
ガスケット４０は、円柱状のガスケット本体４１と、ガスケット本体４１の一方端部（矢印Ｙ１方向側の端部）に形成された円錐状の先端部４２と、ガスケット本体４１の他方端部（矢印Ｙ２方向側の端部）に形成されたテーパ部４３と、ガスケット本体４１の円周方向（図７のＣ２方向）に沿って延びるように形成された突部４４とを有する。なお、突部４４は、本発明の「被係合部」の一例である。
【００４１】
ガスケット本体４１は、直径がバレル１０の内径よりも若干大きくなるように形成されている。これにより、プランジャ２０がバレル１０に挿入される際に、ガスケット本体４１が筒状部１１に圧入される。先端部４２は、傾斜角度がバレル１０のテーパ部１１２（図３参照）の傾斜角度とほぼ同じに形成されている。テーパ部４３は、ガスケット本体４１から後方（矢印Ｙ２方向）に向かって径（断面積）が大きくなるように形成されている。突部４４は、ガスケット本体４１の全周にわたって設けられている。また、突部４４は、断面形状が円弧状に形成されている。
【００４２】
キャップ３０は、図８および図９に示すように、円錐台状に形成されている。キャップ３０は、たとえば、樹脂により形成されており、バレル１０の排出口１２（図３参照）を塞ぐために設けられている。キャップ３０の外周面には、周方向に凹凸形状が形成されている。これにより、利用者がキャップ３０を回転方向（図９のＣ３方向）に回転させる際に、キャップ３０に対して利用者の指が滑るのを抑制することが可能である。
【００４３】
また、キャップ３０には、バレル１０のノズル部１１３（図３参照）が挿入される凹部３１が形成されている。凹部３１は、背面視において円状に形成されている。凹部３１には、内周面にねじ山（螺旋状の溝）が形成されている。
【００４４】
供給装置１００では、図３に示すように、ガスケット４０が取り付けられたプランジャ２０がバレル１０に挿入されることにより、バレル１０の筒状部１１の内部においてガスケット４０の先端部４２と一方端部１１ａ（排出口１２）との間に収容空間Ｓが形成される。供給装置１００は、収容空間Ｓに流動体１５０を収容可能に構成されている。また、供給装置１００は、バレル１０の溝部１１４とガスケット４０の突部４４とにより、バレル１０の内部を移動（摺動）するガスケット４０の移動量を規定するように構成されている。なお、バレル１０のノズル部１１３にキャップ３０が取り付けられることにより、収容空間Ｓが密閉される。
【００４５】
次に、図３を参照して、実施の形態１による供給装置１００の流動体１５０の供給動作について説明する。なお、以下では、図３に示した状態から流動体１５０を供給する際の動作について説明する。
【００４６】
ここで、図３では、ガスケット４０が取り付けられたプランジャ２０がバレル１０に挿入されており、ガスケット４０の突部４４がバレル１０の最も基端側の溝部１１４に挿入されている。そして、ガスケット４０の先端部４２とバレル１０の排出口１２との間に形成される収容空間Ｓに流動体１５０が収容されている。また、バレル１０のノズル部１１３には、キャップ３０が取り付けられている。
【００４７】
まず、キャップ３０がバレル１０に対して回転されることにより、キャップ３０がバレル１０のノズル部１１３から取り外される。そして、バレル１０のフランジ部１４が保持された状態で、プランジャ２０の押圧部２２（図１参照）が押圧される。これにより、ガスケット４０の突部４４が弾性変形し、ガスケット４０の突部４４とバレル１０の溝部１１４との係合が解除される。そして、ガスケット４０およびプランジャ２０がバレル１０に対して挿入方向（矢印Ｙ１方向）に移動することにより、バレル１０の排出口１２から収容空間Ｓに収容された流動体１５０の一部が排出される。これにより、供給装置１００から流動体１５０が供給される。
【００４８】
その後、挿入方向（矢印Ｙ１方向）に移動するガスケット４０の突部４４が、バレル１０の基端から２個目の溝部１１４に挿入される。これにより、ガスケット４０の突部４４がバレル１０の基端から２個目の溝部１１４に係合され、ガスケット４０およびプランジャ２０の移動が停止される。このため、バレル１０の排出口１２からの流動体１５０の排出が停止される。したがって、供給装置１００から所定量の流動体１５０が供給される。その後、バレル１０のノズル部１１３にキャップ３０が取り付けられる。
【００４９】
次に、供給装置１００から再び流動体１５０を供給する場合には、まず、キャップ３０がバレル１０に対して回転されることにより、キャップ３０がバレル１０のノズル部１１３から取り外される。そして、バレル１０のフランジ部１４が保持された状態で、プランジャ２０の押圧部２２が押圧される。これにより、ガスケット４０の突部４４が弾性変形し、ガスケット４０の突部４４とバレル１０の溝部１１４との係合が解除される。そして、ガスケット４０およびプランジャ２０がバレル１０に対して挿入方向（矢印Ｙ１方向）に移動することにより、バレル１０の排出口１２から収容空間Ｓに収容された流動体１５０の一部が排出される。これにより、供給装置１００から流動体１５０が供給される。
【００５０】
その後、挿入方向（矢印Ｙ１方向）に移動するガスケット４０の突部４４が、バレル１０の基端から３個目の溝部１１４に挿入される。これにより、ガスケット４０の突部４４がバレル１０の基端から３個目の溝部１１４に係合され、ガスケット４０およびプランジャ２０の移動が停止される。このため、バレル１０の排出口１２からの流動体１５０の排出が停止される。したがって、供給装置１００から所定量の流動体１５０が供給される。その後、バレル１０のノズル部１１３にキャップ３０が取り付けられる。
【００５１】
そして、上記した動作が繰り返し行われることにより、収容空間Ｓに収容された流動体１５０が複数回（たとえば、６回）に分けて供給される。
【００５２】
実施の形態１では、上記のように、バレル１０に溝部１１４を形成するとともに、ガスケット４０に突部４４を形成することによって、プランジャ２０が挿入方向に押圧された場合に、ガスケット４０の突部４４がバレル１０の溝部１１４に係合されるまで、ガスケット４０およびプランジャ２０が挿入方向に移動することにより、収容空間Ｓに収容される流動体１５０の一部を供給することができる。その後、プランジャ２０が挿入方向に押圧された場合には、ガスケット４０の突部４４が弾性変形することにより、ガスケット４０の突部４４とバレル１０の溝部１１４との係合が解除され、ガスケット４０およびプランジャ２０が挿入方向に移動する。これにより、収容空間Ｓに収容される流動体１５０の一部を供給することができる。すなわち、供給装置１００では、筒状部１１の溝部１１４とガスケット４０の突部４４とにより、バレル１０の内部を移動（摺動）するガスケット４０の移動量を規定することができるので、プランジャ２０を回転させることなく、流動体１５０を複数回に分けて供給することができる。その結果、流動体１５０を供給する際の操作の簡略化を図りながら、流動体１５０を複数回に分けて供給することができる。また、バレルに突部を形成する場合に比べて、プランジャ２０を挿入方向に移動させる際の負荷が大きくなるのを抑制することができる。
【００５３】
また、実施の形態１では、バレル１０に７個の溝部１１４を設け、流動体１５０の供給前の状態においてガスケット４０の突部４４を最も基端側の溝部１１４に挿入することによって、流動体１５０を６回に分けて供給することができる。なお、バレル１０に７個の溝部１１４を設けた場合において、流動体１５０の供給前の状態においてガスケット４０の突部４４を溝部１１４に挿入しないようにすれば、流動体１５０を７回に分けて供給することができる。
【００５４】
また、実施の形態１では、複数の溝部１１４をプランジャ２０の挿入方向に一定の間隔を隔てて配置することによって、複数回に分けて供給される流動体１５０の供給量を均等にすることができる。これにより、用量を守って定期的にゼリー状の薬剤を服用することが容易にできる。
【００５５】
また、実施の形態１では、バレル１０の排出口１２を塞ぐキャップ３０を設けることによって、バレル１０の内部においてガスケット４０と排出口１２との間に形成される収容空間Ｓに収容される流動体１５０を密閉することができる。
【００５６】
また、実施の形態１では、流動体１５０がゼリー状の薬剤であることによって、ゼリー状の薬剤を複数回に分けて供給することができる。また、ゼリー状の薬剤であるので、幼児や高齢者であっても安全に薬剤を服用することができる。
【００５７】
また、実施の形態１では、バレル１０を透明な樹脂により形成することによって、収容空間Ｓに収容される流動体１５０の残量を目視で容易に確認することができる。
【００５８】
また、実施の形態１では、プランジャ２０の挿入方向の逆方向（矢印Ｙ２方向）に向かって径が大きくなるように形成されたテーパ部４３をガスケット４０に設けることによって、ガスケット４０をバレル１０に挿入した状態において、ガスケット４０およびプランジャ２０をバレル１０に対して逆方向に移動しにくくすることができるので、誤操作の抑制を図るとともに、分注精度の向上を図ることができる。また、ガスケット４０による密閉度の向上を図ることができる。
【００５９】
＜実施の形態２＞
図１０を参照して、実施の形態２による供給装置１００ａの構造について説明する。なお、実施の形態１による供給装置１００と同一部分には同一符号を付して重複する説明を省略する。
【００６０】
供給装置１００ａでは、図１０に示すように、バレル１０ａには、溝部１１４（図３参照）の代わりに突部１１４ａが形成されるとともに、ガスケット４０ａには、突部４４（図３参照）の代わりに溝部４４ａが形成されている。なお、供給装置１００ａのその他の構成は、上記した供給装置１００と同様である。また、突部１１４ａは、本発明の「係合部」の一例であり、溝部４４ａは、本発明の「被係合部」の一例である。
【００６１】
バレル１０ａの突部１１４ａは、内周面１１ｃの周方向に沿って延びるように、内周面１１ｃの全周にわたって形成されている。突部１１４ａは、断面形状が円弧状に形成されている。また、突部１１４ａは、プランジャ２０の挿入方向（矢印Ｙ１方向）に一定の間隔を隔てて複数（たとえば、７個）設けられている。なお、バレル１０ａのその他の構成は、上記したバレル１０と同様である。
【００６２】
ガスケット４０ａの溝部４４ａは、ガスケット本体４１の円周方向に沿って延びるように、ガスケット本体４１の全周にわたって形成されている。また、溝部４４ａは、断面形状が円弧状に形成されている。なお、ガスケット４０ａのその他の構成は、上記したガスケット４０と同様である。
【００６３】
実施の形態２では、上記のように、バレル１０ａに突部１１４ａを形成するとともに、ガスケット４０ａに溝部４４ａを形成することによって、バレルに溝部を形成した場合のように、バレルの内部をガスケットが摺動する際に、バレルの溝部に流動体が取り残されることがないので、流動体１５０をより正確に供給することができる。
【００６４】
なお、実施の形態２のその他の効果は、上記実施の形態１と同様である。
【００６５】
なお、今回開示した実施の形態は、すべての点で例示であって、限定的な解釈の根拠となるものではない。したがって、本発明の技術的範囲は、上記した実施の形態のみによって解釈されるものではなく、特許請求の範囲の記載に基づいて画定される。また、本発明の技術的範囲には、特許請求の範囲と均等の意味および範囲内でのすべての変更が含まれる。
【００６６】
たとえば、実施の形態１では、バレル１０に７個の溝部１１４を形成する例を示したが、これに限らず、バレルに少なくとも１個の溝部が形成されていればよく、溝部の数はいくつであってもよい。同様に、実施の形態２では、バレル１０ａに７個の突部１１４ａを形成する例を示したが、これに限らず、バレルに少なくとも１個の突部が形成されていればよく、突部の数はいくつであってもよい。
【００６７】
また、実施の形態１では、断面形状が円弧状である溝部１１４および突部４４を設ける例を示したが、これに限らず、たとえば、断面形状が三角形状である溝部および突部が設けられていてもよい。なお、実施の形態２についても同様である。
【００６８】
また、実施の形態１では、複数の溝部１１４が一定の間隔を隔てて配置される例を示したが、これに限らず、溝部の間隔が異なっていてもよい。同様に、実施の形態２では、複数の突部１１４ａが一定の間隔を隔てて配置される例を示したが、これに限らず、突部の間隔が異なっていてもよい。すなわち、複数回に分けて供給される流動体の供給量が異なっていてもよい。
【００６９】
また、実施の形態１では、ガスケット本体４１の全周にわたって突部４４を設ける例を示したが、これに限らず、ガスケット本体の円周方向に沿って所定の間隔を隔てて突部が設けられていてもよい。同様に、実施の形態２では、バレル１０ａの内周面１１ｃの全周にわたって突部１１４ａを設ける例を示したが、これに限らず、バレルの内周面の周方向に沿って所定の間隔を隔てて突部が設けられていてもよい。
【００７０】
また、実施の形態１および２では、バレルを透明な樹脂により形成する例を示したが、これに限らず、バレルを遮光性の樹脂により形成してもよいし、透明な樹脂により形成されたバレルの外側に遮光部材を設けるようにしてもよい。このように構成すれば、収容空間に収容される流動体に光が入射するのを抑制することができる。また、透明な樹脂により形成されたバレルの外側に、一部の領域を除いて遮光部材を設けるようにしてもよい。このように構成すれば、収容空間に収容される流動体に光が入射するのを抑制しながら、収容空間に収容される流動体の残量を目視で容易に確認することができる。
【００７１】
また、実施の形態１および２では、ガスケットをゴムにより形成する例を示したが、これに限らず、ガスケットを熱可塑性エラストマーにより形成してもよい。また、バレルを樹脂により形成する例を示したが、これに限らず、バレルをガラスにより形成してもよい。
【００７２】
また、実施の形態１および２では、流動体１５０がゼリー状の薬剤である例を示したが、これに限らず、流動体が液状の食品であってもよい。
【００７３】
また、実施の形態１および２では、バレルの排出口を塞ぐキャップを設ける例を示したが、これに限らず、バレルの排出口を開閉する開閉弁が設けられていてもよい。
【００７４】
また、実施の形態１および２では、バレルが円筒状の筒状部を有する例を示したが、これに限らず、バレルが角筒状の筒状部を有するようにしてもよい。この場合には、ガスケットを角柱状に形成すればよい。
【符号の説明】
【００７５】
１０、１０ａ      バレル
１１              筒状部
１１ａ            一方端部
１１ｂ            他方端部
１１ｃ            内周面
１２              排出口
１３              開口部
２０              プランジャ
３０              キャップ（蓋部材）
４０              ガスケット
４１              ガスケット本体
４３              テーパ部
４４              突部（被係合部）
４４ａ            溝部（被係合部）
１００、１００ａ  供給装置
１１４            溝部（係合部）
１１４ａ          突部（係合部）
１５０            流動体
【図１】
2012130554.tif 000003
【図２】
2012130554.tif 000004
【図３】
2012130554.tif 000005
【図４】
2012130554.tif 000006
【図５】
2012130554.tif 000007
【図６】
2012130554.tif 000008
【図７】
2012130554.tif 000009
【図８】
2012130554.tif 000010
【図９】
2012130554.tif 000011
【図１０】
2012130554.tif 000012